(57)【要約】【課題】作業者の負担を大きく軽減し且つ作業者単独で測定が行え、且つ、確度高く角度を測定する。【解決手段】滑り角度測定装置は、対象物（Ｗ）を上側に設置する平面状の設置部材（１０）と、設置部材（１０）に設けられ、設置部材（１０）と平行な回動軸（２１）まわりで回転して、設置部材（１０）を回動可能な回動部材（２０）と、設置部材（１０）の下側面（１０Ｂ）の一部と接触し、設置部材（１０）を鉛直上向きに下側から漸次的に押上げて、設置部材（１０）を回動軸（２１）まわりで回動させて傾斜させる押上げ器（４０）と、設置部材（１０）の傾斜角度を測定可能な測定器（３０）と、を備え、押上げ器（４０）における下側面（１０Ｂ）との接触部（４２）は、下側面（１０Ｂ）に対してその面方向に相対移動可能である。【選択図】図２
2017181386.tif 000002
【特許請求の範囲】
【請求項１】
対象物を上側に設置する平面状の設置部材と、
前記設置部材に設けられ、前記設置部材と平行な回動軸まわりで回転して、前記設置部材を回動可能な回動部材と、
前記設置部材の下側面の一部と接触し、前記設置部材を鉛直上向きに下側から漸次的に押上げて、前記設置部材を前記回動軸まわりで回動させて傾斜させる押上げ器と、
前記設置部材の傾斜角度を測定可能な測定器と、を備え、
前記押上げ器における前記下側面との接触部は、前記下側面に対してその面方向に相対移動可能である滑り角度測定装置。
【請求項２】
前記接触部は、前記回動軸と平行な回転軸まわりで回転するローラーで形成されている請求項１記載の滑り角度測定装置。
【発明の詳細な説明】
【技術分野】
【０００１】
本発明は、平面状の設置部材の上側に対象物を設置して、設置部材を傾斜させることで対象物の滑り角度を測定する滑り速度測定装置に関する。
【背景技術】
【０００２】
缶ビールなどの飲料缶を包装した包装箱は、機械により自動で組立・搬送が行われるが、その組立工程や搬送工程において傾斜する状態に置かれる場合があり、その場合、包装箱によってはその傾斜により滑ってしまうことがあり得る。そのため、包装箱の表面滑りを評価する必要がある。
【０００３】
その手段として、包装箱を傾斜させて、滑り始める角度を測定することが行われている。具体的には、図４に示す滑り角度測定装置１００を用いて、平面状の設置部材１１０の上側に包装箱Ｗを二段重ねで設置した状態で、作業者がそのレバー１１１を用いて回動部材１２０の回動軸１２１まわりで設置部材１１０を徐々に傾斜させていく。そして、上側の包装箱Ｗが傾斜し始めたとき、作業者は手を止め、もう一人の作業者が測定器１３０の示す角度を読み取る。このようにして、包装箱の滑り角度が測定されている。
【発明の概要】
【発明が解決しようとする課題】
【０００４】
しかし、図４に示す装置を用いた場合、正確な滑り角度を測定するため、作業者は、相当の重量がある包装箱Ｗを二段重ねで積んである設置部材１１０をゆっくり持ち上げなければならず、負担が大きい。また、包装箱Ｗが滑り始めるときの変動でレバー１１１を持つ作業者の手がぶれて正確な傾斜角度が測定できないおそれがある。さらに、上記装置では二人一組で行うことが必須となる。
【０００５】
これに対し、機械的手段を用いて設置部材１１０を傾斜させることが考えられる。例えば、ジャッキなどの鉛直上向きに対象物を押し上げる器械は、小さな力で大きな作用力を生じさせることができるので好ましい。しかし、設置部材１１０は回動軸１２１まわりで円運動を行うものであるため、単純に直線運動を行う器械を適用することはできない。
【０００６】
そこで、鉛直上向きに対象物を押し上げる器械を簡易な構成で適用して、上記問題を解決し得る滑り角度測定装置が望まれる。
【課題を解決するための手段】
【０００７】
本発明に係る滑り角度測定装置は、
対象物を上側に設置する平面状の設置部材と、
前記設置部材に設けられ、前記設置部材と平行な回動軸まわりで回転して、前記設置部材を回動可能な回動部材と、
前記設置部材の下側面の一部と接触し、前記設置部材を鉛直上向きに下側から漸次的に押上げて、前記設置部材を前記回動軸まわりで回動させて傾斜させる押上げ器と、
前記設置部材の傾斜角度を測定可能な測定器と、を備え、
前記押上げ器における前記下側面との接触部は、前記下側面に対してその面方向に相対移動可能である。
【０００８】
この構成によれば、設置部材との接触部が設置部材の傾斜角度に合わせてその面方向に相対移動する方式を採るため、設置部材に単純な鉛直方向上向きの力を加える押上げ器によっても、設置部材の傾斜角度に合わせて設置部材に対する作用点（即ち接触部）を漸次的にずらしながら設置部材に対して安定して力を加えていくことができる。その結果、設置部材を回動軸まわりで回動させる円運動を行わせて傾斜させることができる。そして、機械的手段を用いることにより、作業者の負担を大きく軽減し且つ単独で測定が行え、また、確度高く角度を測定することができる。
【０００９】
１つの態様として、前記接触部は、前記回動軸と平行な回転軸まわりで回転するローラーで形成されていると好適である。
【００１０】
この構成によれば、ローラーにより円滑に接触部を下側面に対して相対移動させることができる。
【図面の簡単な説明】
【００１１】
【図１】滑り角度測定装置の側面図
【図２】滑り角度測定装置の動作を示す側面図
【図３】押上げ器の正面図
【図４】従来の滑り角度測定装置を示す側面図
【発明を実施するための形態】
【００１２】
本発明に係る滑り角度測定装置の実施形態について、図面を参照して説明する。図１は、缶ビールなどの飲料缶を包装した包装箱Ｗの滑り角度を好適に測定できる本実施形態に係る滑り角度測定装置を示す。図１に示すように、滑り角度測定装置は、滑車５１を備える滑車部５０を土台として、その上に、包装箱Ｗを上側に設置する平面状の設置部材１０と、設置部材１０を回動可能な回動部材２０と、設置部材１０の傾斜角度を測定可能な測定器３０と、設置部材１０を傾斜させるための押上げ器４０と、を備える。
【００１３】
設置部材１０は、回動部材２０を介して滑車部５０と連結されている。回動部材２０は、設置部材１０の中央より端部寄りの位置で設置部材１０に設けられおり、設置部材１０と平行な回動軸２１まわりで回転して、設置部材１０を回動可能にしてある。また、測定器３０は本実施形態では分度器であり、回動軸２１に合わせて測定器３０を回動部材２０に配置することで、回動部材２０の回転角度、即ち、設置部材１０の傾斜角度を目視により読み取り可能になっている。なお、測定器３０は分度器等の目視により確度を読み取るものに限らず、測定器３０自身が角度を計測しそれを表示するものなど角度を測定可能であればどのようなものでもよい。また、設置部材１０には、設置部材１０を傾斜させたときに下側になる端部にストッパー１１を設けてあり、包装箱Ｗが滑り落ちないようにしてある。
【００１４】
図１，３に示すように、押上げ器４０は本実施形態ではジャッキからなり、レバー４１を回すことで鉛直上向きに設置部材１０を押上げ可能になっている。具体的には、回動軸２１と同一線上にない位置において、より詳しくは、設置部材１０の中央より回動部材２０とは反対側の領域において、設置部材１０の下側面１０Ｂの一部と接触する。そして、その押上げ器４０における下側面１０Ｂとの接触部４２は、下側面１０Ｂに対してその面方向に相対移動可能になっている。より詳しくは、図１，３に示すように、接触部４２は、回動軸２１と平行な回転軸まわりで回転するローラーで形成されている。これにより、設置部材１０との接触部４２を設置部材１０の傾斜角度に合わせてその面方向に相対移動させることができ、設置部材１０に力を加えながらも、設置部材１０の傾斜角度に合わせて設置部材１０に対する作用点（即ち接触部４２）を漸次的にずらしながら、円運動をする設置部材１０に対して安定的に単純な鉛直方向上向きの力を加えていくことができる。その結果、押上げ器４０により、設置部材１０を鉛直上向きに下側から漸次的に押上げて、設置部材１０を回動軸２１まわりで回動させて傾斜させることが可能となる（図２参照）。
【００１５】
次に、この滑り角度測定装置１の使用方法の一例について説明する。まず、設置部材１０が水平となる状態に押上げ器４０の高さを調整した状態で、設置部材１０の上側面１０Ａに包装箱Ｗを２つ重ねて設置する。そして、押上げ器４０のレバー４１を操作して、押上げ器４０により設置部材１０を鉛直上向きに下側から漸次的に押上げて、設置部材１０を回動軸２１まわりで回動させて傾斜させていく。ある程度まで設置部材１０を傾斜させると上側の包装箱Ｗが滑り始めるので、包装箱Ｗが滑り始めた時点で押上げ器４０に対する操作を止めて、測定器３０の指し示す角度を読み取り、これを対象の包装箱Ｗの滑り角度とする。このようにして、滑り角度測定装置１により、包装箱Ｗの滑り角度を測定することができる。
【００１６】
〔その他の実施形態〕
最後に、本発明に係る滑り角度測定装置のその他の実施形態について説明する。なお、以下のそれぞれの実施形態で開示される構成は、矛盾が生じない限り、他の実施形態で開示される構成と組み合わせて適用することも可能である。
【００１７】
（１）上記の実施形態では、対象物が包装箱Ｗである構成を例に説明した。しかし、本発明の実施形態はこれに限定されず、滑り角度を測定する対象物は、包装箱Ｗに組み立てる前の段ボールとしてもよいし、適宜選択可能である。
【００１８】
（２）上記の実施形態では、押上げ器４０をジャッキとし、その接触部４２をローラーで形成した構成を例に説明した。しかし、本発明の実施形態はこれに限定されない。押上げ器４０やその接触部４２の構成は、それが鉛直上向きに設置部材１０を押上げ可能であり、また、設置部材１０の下側面１０Ｂに対してその面方向に相対移動可能であればよく、適宜変更可能である。
【００１９】
（３）その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００２０】
本発明は、例えば飲料缶などを収容する包装箱の滑り角度の測定に利用することができる。
【符号の説明】
【００２１】
１０    設置部材
１０Ｂ  下側面
２０    回動部材
２１    回動軸
３０    測定器
４０    押上げ器
４２    接触部
Ｗ      対象物
【図１】
2017181386.tif 000003
【図２】
2017181386.tif 000004
【図３】
2017181386.tif 000005
【図４】
2017181386.tif 000006